(57)【要約】【課題】籾摺処理によって排出され、かつ、大きな容積を占める籾殻の取扱いに煩わされることのない籾摺精米装置における籾殻処理装置を提供する。【解決手段】籾摺精米装置における籾殻処理装置１は、投入部に投入された籾米を受けて籾摺処理する籾摺手段５と、この籾摺手段５から受けた玄米を搗精処理して精白米を払出部９に送る精米手段７とを備えて構成され、上記籾摺手段５には、その籾殻排出口から排出された籾殻を粉砕して粉末化する粉砕手段１１を備える。【選択図】      図１
2004249150.tif 000002
【特許請求の範囲】
【請求項１】
投入部に投入された籾米を受けて籾摺処理する籾摺手段と、この籾摺手段から受けた玄米を搗精処理して精白米を払出部に送る精米手段とを備える籾摺精米装置における籾殻処理装置において、
上記籾摺手段には、その籾殻排出口から排出された籾殻を粉砕して粉末化する粉砕手段を備えることを特徴とする籾摺精米装置における籾殻処理装置。
【請求項２】
前記粉砕手段には、糠と水の供給を受けて添加混合する混合手段と、この混合手段による混合体を所定の形状に成形する成形手段とを備えたことを特徴とする請求項１記載の籾摺精米装置における籾殻処理装置。
【請求項３】
前記成形手段には、その成形体を受けて梱包する袋詰手段と、この袋詰手段による梱包体を店頭自動販売するための販売手段とを備えたことを特徴とする請求項２記載の籾摺精米装置における籾殻処理装置。
【発明の詳細な説明】
【０００１】
【発明の属する技術分野】
本発明は、投入した籾米について籾摺処理と搗精処理とにより精白米として払い出す籾摺精米装置における籾殻処理装置に関し、特に、籾摺処理によって排出され、かつ、大きな容積を占める籾殻の取扱いに煩わされることのない籾摺精米装置における籾殻処理装置に関する。
【０００２】
【従来の技術】
投入した籾米について籾摺と搗精とを処理して精白米を払い出す籾摺精米装置における籾殻処理装置が、従来、特許文献１に示すように知られている。この籾摺精米装置における籾殻処理装置は、客室に面して投入口と払出口を配置し、機械室内に籾摺機、精米機等を備え、また、籾殻の搬出回収等の管理のために、籾摺機から排出される籾殻を機械室の外に導出し、この籾殻を受ける籾殻タンクを外部に配置して構成される。
【特許文献１】特開平９−２７６７２０号公報
【０００３】
【発明が解決しようとする課題】
しかしながら、籾殻は籾米と略等しい容積を占めることから、籾米の利用が増加するにつれて、投入された籾米と略同容積の大量の籾殻が排出されるので、多くの問題が発生する。具体的には、籾殻タンクの頻繁な交換のための煩わしい作業が管理者に要求され、その対策として大型の籾殻タンクを付設するには、その配置スペース、および籾摺機から大型タンクに籾殻を送出するための専用の搬送手段が別途必要となり、さらに、籾殻の回収と廃棄処理の負担増大等の問題を招くこととなる。
【０００４】
本発明の目的は、籾摺処理によって排出され、かつ、大きな容積を占める籾殻の取扱いに煩わされることのない籾摺精米装置における籾殻処理装置を提供することにある。
【０００５】
【課題を解決するための手段】
上記課題を解決するために、請求項１に係る発明は、投入部に投入された籾米を受けて籾摺処理する籾摺手段と、この籾摺手段から受けた玄米を搗精処理して精白米を払出部に送る精米手段とを備える籾摺精米装置における籾殻処理装置において、上記籾摺手段には、その籾殻排出口から排出された籾殻を粉砕して粉末化する粉砕手段を備えることを特徴とする。
【０００６】
投入部に投入された籾米は籾摺手段によって籾摺処理されて玄米となり、この玄米は精米手段によって搗精処理されて払出部に送られる。この場合、投入された籾米と略同容積を占める籾殻が籾摺手段から排出され、この籾殻は粉砕手段により粉砕されて粉末化されて小容積で堆積保管することができる。
【０００７】
請求項２に係る発明は、前記粉砕手段には、糠と水の供給を受けて添加混合する混合手段と、この混合手段による混合体を所定の形状に成形する成形手段とを備えたことを特徴とする。
【０００８】
混合手段により糠と水が粉砕籾殻に添加混合され、この混合体は成形手段で成形することによりぼかし肥料のベッド（基材）等としての利用が可能な有用材に加工処理され、その結果、籾殻を有用材として利用者に還元供給することが可能となる。
【０００９】
請求項３に係る発明は、前記成形手段には、その成形体を受けて梱包する袋詰手段と、この袋詰手段による梱包体を店頭自動販売するための販売手段とを備えたことを特徴とする。
【００１０】
袋詰手段により成形体が梱包され、この梱包体は販売手段によって商品として市場に流通される。
【００１１】
【発明の効果】
本発明の籾摺精米装置における籾殻処理装置は以下の効果を奏する。
上記籾摺精米装置における籾殻処理装置は、粉砕手段を備えて籾殻を処理することから、粉末化されて小容積で堆積保管することができるので、溜まった籾殻の搬出回収の回数を少なくすることができる。
【００１２】
籾粉に糠と水を添加混合した成型体は、ぼかし肥料のベッド（基材）等としての利用が可能な有用材となり、利用者に還元供給することが可能となる。したがって、籾殻の廃棄処理に要する負荷および精米処理手段から排出される糠の廃棄処理に要する負荷を解消することができる。
【００１３】
商品流通可能にパック詰め包装した場合は、市場流通に適するとともに、交換価値の回収が可能となる。
【００１４】
【発明の実施の形態】
上記技術思想に基づき具体的に構成された実施の形態について以下に図面を参照しつつ説明する。
【００１５】
図１に本発明の籾殻処理装置を備える籾摺精米装置のシステム構成図を示す。図１において、コイン式籾摺精米装置１は、投入部３、籾摺部（籾摺手段）５、精米部（精米手段）７、払出部９等からなる白米処理部の他に、籾殻タンク（粉砕手段）１１と糠タンク１３による貯留処理部、混合機１５、成型機１７、焼成機１９、包装機２１等からなる付加処理部を備えて構成される。
【００１６】
投入部３は、客室１ａに面して配置され、利用者が投入した目的の籾米を受けて機械室１ｂの籾摺部５に送る。籾摺部５は、投入部３から受けた籾米を籾摺処理し、処理した玄米を精米部７に送るとともに、籾殻を屋外配置の粉砕機付き籾殻タンク１１に送る。精米部７は籾摺部５から玄米を受けて精白処理し、その精白米を客室１ａ側の払出部９に送るとともに、排出された米糠を切換バルブ１３ａから貯留容器１２、１２または屋外配置の糠タンク１３に送る。個々の貯留容器１２には、搬送螺旋１２ａによって糠が順次貯留される。
【００１７】
粉砕機付き籾殻タンク１１は籾摺部５から受けた籾殻を粉砕して貯留し、この籾粉を指令に応じて混合機１５に送る。糠タンク１３も同様に、精米部７から受けた米糠を貯留し、指令に応じて混合機１５に送る。混合機１５は、受けた籾粉と米糠とを混合して成型機１７に送る。成型機１７は、籾粉と米糠との混合物に加水してマカロニ状等の所定形状に圧縮成型し、その成形体を焼成機１９に送る。焼成機１９は、成形体を所定温度で焼き固め、この焼成体を包装機２１で真空パック等によって袋詰めする。
【００１８】
上記構成のコイン式籾摺精米装置１の具体的な構成配置は、その１例を示す図２の機器配置図のように、客室１ａに面して投入部３、払出部９を配置し、機械室１ｂに籾摺部５、精米部７等を構成し、屋外に大型の籾殻タンク１１、糠タンク１３を設け、搬入路２３，２４、搬出路２５，２６をそれぞれ接続し、これら搬出路２５，２６から付加処理の各工程１５，１７，１９，２１を配置する。また、図３の機器配置図に示す別例に係るコイン式籾摺精米装置のように、小型の籾殻タンク１１、糠タンク１３を配置して前記同様に接続構成することにより、すべて屋内配置に構成することができる。
【００１９】
コイン式籾摺精米装置１の個々の構成機器は、一般のコイン式籾摺精米装置と原則的に共通する。籾殻と米糠の処理に関しては、図４（ａ）に示すように、粉砕機付き籾殻タンク１１は、籾殻を粉状にして貯留するために、タンク１１ａの頂部にサイクロン式分離器３１と空気抜カバー３１ａとを備え、タンク１１ａ内のサイクロン式分離器３１によって微細塵埃を排除するとともに、受けた籾殻を粉砕する圧縮螺旋３３ａを備えた圧縮螺旋式粉砕機３３を設け、または、図４（ｂ）に示すように、破砕ロール３５ａを備えたロール式粉砕機３５を設ける。また、成型機１７は、図５の押出成型機の断面図（ａ）のように、口金３７に臨む圧送螺旋３８を備え、（ｂ）の各種の形状例の口金に応じて丸型、四角型、星型等の押出成形体として加工することができる。なお、上記成形機１７は籾殻と米糠の混合物について成形処理するものであるが、この成形機１７への籾殻の供給を遮断することにより米糠のみの成形処理とすることもできるようになっている。
【００２０】
上記構成のコイン式籾摺精米装置１は、籾摺りによって排出される籾殻を粉砕機付き籾殻タンク１１によって微細粉化することにより、籾殻容積を小さくできる（従来の１／１０）ので、タンクの小型化による室内配置が可能となる。また、米糠貯留用の搬送螺旋１２ａを延長することにより、粉体搬送手段として籾粉貯留用に共用の構成とすることが可能となることから、設備のコンパクト化とコスト低減が可能となる。さらに、同一容量のタンクによっても頻繁な籾殻回収を要しない上に、微細粉化した籾殻は、米糠と分解菌を混ぜて生ゴミ処理等の菌のベッドや約２週間でぼかし肥料のベッドとして有効活用可能であり、これを真空パック処理して自動販売機により市場流通することにより社会に還元されるとともにその対価を得ることができる。
【００２１】
つぎに、精米の際に生じる米糠を主原料として籾粉を追加混合したもの、または、無添加の米糠を成形加工処理する態様とその用途について説明する。
【００２２】
図６（ａ）は、細い鉛筆状の丸棒またはパイプ等の棒状に成形した有機肥料４１とした例を示し、任意の長さに切断して図６（ｂ）（ｃ）に示すように、棒状有機肥料４１ａ，４１ｂとして利用することができる。
【００２３】
米糠は、分解して肥料となることは周知であるが、鉛筆形に焼き固めて強度を確保することにより、容易に土に差し込む（または打ち込む）ことができるので取扱い性に優れた肥料となる。また、鉛筆形は加工が容易で連続成型ができるほか、用途に合った種々のサイズに切断が可能で、収納・運搬が簡単である。
【００２４】
図７（ａ）は、薄い円筒状に成形した苗移植用補助材４３としての適用例、および、サイズ違いに入れ込んだ態様（ｂ）を示す。苗移植用補助材４３は、円筒形に成型し、加熱乾燥することによって発酵を防止しつつ移植に必要な強度を確保することができる。苗の移植時は、直接苗に被せ、土ごと移動させる際に土の剥がれを防止するとともに、移植後に分解して肥料となる。円筒形とすることにより、加工が容易で連続成型ができるほか、入れ込み可能な種々のサイズのものをコンパクトに収納・運搬ができる。
【００２５】
図８は、ハイドロボール４５…としての使用例（ａ）（ｂ）を示し、粒状に炭化焼き固めることにより、水耕栽培の根の固定材であるハイドロボール４５…として使用でき、分解スピードが遅いことから長期にわたり有機肥料として作用する。粒状体とすることにより加工が容易で大量成型ができるほか、用途に合った種々のサイズに加工が可能で収納・運搬が簡単である。
【００２６】
つぎに、コイン式精米機の機器制御における課金処理システムについて、図９のシステム構成図に示すコイン式精米機５１を例にとって説明する。
【００２７】
コイン式精米機５１は、投入ホッパ５３からなる投入部、石抜装置５５等からなる異物処理部、玄米タンク５７、精米機５９等からなる精米部、糠切換器６１等からなる糠処理部によって構成される。
【００２８】
投入ホッパ５３は玄米の投入を受け、この投入玄米を定量送出するロータリバルブ５３ａとその動作検出用のロータリバルブセンサ５３ｂを備える。異物処理部は投入部から玄米を受ける昇降機５５ａを備え、受けた玄米について石抜装置５５、異物除去装置５６等により異物を選別除去して精米部に送る。玄米タンク５７は、異物処理部から玄米を受ける昇降機５７ａを備え、玄米タンク５７の投入口側に玄米タンクセンサ５７ｂを備えて受けた玄米を検出する。精米機５９は白度調節部５９ａと白度センサ５９ｂ等を備えて玄米タンク５７から玄米を受けて精白処理し、白米タンク６０に排出する。精米機５９には精米処理による米糠を送出する糠ファン５９ｃを備えて糠切換器６１に送る。糠切換器６１は客室糠取出口６２と糠螺旋６３による糠貯留部とを指令に応じて切換可能に連通する。客室糠取出口６２には糠袋センサ６２ａを備えて糠を払い出す際の糠袋の装着を検出する。
【００２９】
コイン式精米機５１の操作パネル７１の構成は、図１０の操作パネルの正面図に示すように、左端には投入ホッパ５３、中央には、白度選択ボタン７３等からなるスイッチ部および料金部７５、その右側には、白米タンク６０からの白米取出口６０ａおよび客室糠取出口６２等が配置される。
【００３０】
スイッチ部の白度選択ボタン７３は、精白の程度を「上白」「標準」「８ぶ」から選択するスイッチである。その他にスイッチ部には、糠取出ボタン７４、単価表示器７７、もちボタン等を備える。糠取出ボタン７４は処理後の糠を利用者が受取ることを選択するスイッチである。単価表示器７７は、適用される処理単価を表示する。料金部７５には、料金投入を検出するコインセンサ７５ａ等を備える。客室糠取出口６２の糠袋センサ６２ａは、糠袋Ａの装着を検出する。
【００３１】
課金処理に係る機器制御システムの入出力構成図を図１１に示す。図１１において、制御部８１には、機器センサ群および操作スイッチ群を入力側８３に接続して入力信号を受け、また、制御指令を送って駆動制御するべき機器群を出力側８５として接続する。
【００３２】
機器センサ群の内訳は、コインセンサ７５ａ、糠袋センサ６２ａ、ロータリバルブセンサ５３ｂ、玄米タンクセンサ５７ｂ、白度センサ５９ｂである。白度センサ５９ｂは、精米機による処理の程度を検出する。操作スイッチ群の内訳は、白度選択ボタン７３、糠取出ボタン７４である。これらの検出信号およびスイッチ信号は、それぞれ制御部８１に送出されて条件判断のために参照される。
【００３３】
駆動制御するべき機器群の内訳は、石抜装置５５と玄米タンク５７の供給用昇降機５５ａ，５７ａ、投入ホッパ５３のロータリバルブ５３ａ、石抜装置５５、糠ファン５９ｃ、精米機５９、その白度調節部５９ａ、糠螺旋６３、異物除去装置５６、糠切換器６１のそれぞれの駆動用モータである。これらの駆動制御信号がそれぞれ制御部８１から条件に応じて送出される。
【００３４】
制御部８１における糠還元用単価設定とコース別単価設定の処理手順は、図１２のフローチャートに示すように、糠取出ボタン７４のチェック（「糠取出ボタンＯＮ」）により、その選択信号に応じて割安な基準単価に変更処理（「１単価料金マイナス１０円」）する。すなわち、通常基準単価１００円あたり１０ｋｇの原料玄米を処理できるように精米機への供給手段（ロータリバルブの運転タイマ）の運転時間を設定するが、この単価変更処理により、運転タイマの設定時間を長くして９０円で１０ｋｇ処理し、又は１００円で１１ｋｇ処理できるようになすもので、糠取出ボタン７４の選択を条件として糠還元用単価を適用することができる。
また、制御部８１は精白度設定によって基準単価を変更設定しうる構成としている。すなわち、それぞれの基準単価について、白度選択ボタン７３のチェック（「標準ボタンＯＮ」「上白ボタンＯＮ」「８ぶボタンＯＮ」）による「上白」「８ぶ」の選択信号に応じて基準単価を変更処理（「１単価料金プラス１０円」または「１単価料金マイナス１０円」）する。この単価変更処理をした上で、所定量の精米運転（「ロータリバルブの運転タイマＯＮ」）を行うことにより、精米機による「標準」の白度の精米コースを基準として精米機の処理負荷（消費電力）に応じたコース別単価を適用することができる。
【００３５】
制御部８１における従量単価設定の処理手順は、図１３のフローチャートに示すように、一定量の一括精白処理（たとえば、３単価分の３０ｋｇの処理量を基準として「累積単価が３の倍数」）をチェックし、該当する精白運転の場合に基準単価を低減処理（「１単価マイナス１０円」）する。この単価低減処理を繰り返すことにより、一定量の精白処理（３単価分の３０ｋｇの処理）ごとに従量低減単価を適用することができる。この場合、繰り返しによる単価数をチェックして一定限度（「連続１６単価以上」）であれば以後その単価を維持することにより、単価低減処理に限度（５回）を設けて精白運転することができる。
【００３６】
上述のように、利用者が糠を持ち帰る場合について割安な糠還元用単価を適用することにより、精米処理に伴う排出糠の後処理負荷を軽減することができる。また、精白コース別の設定単価を適用することにより、精米機の精白負荷に応じた合理的な料金体系とすることができるので、コイン式精米機の稼動による安定操業が可能となる。さらに、従量制単価体系の適用により、大量一括利用を促すとともに、集客力向上にも寄与することができる。そして、上記機能は、従来のコイン式精米機についてその構成機器の変更工事を要することなく、制御処理ソフトウェアを入れ替えることによって簡易に実現することができる。
以上基準単価あたりの処理量を設定する手段を構成し、各種運転条件に基づきこの設定された単位処理量を変更可能に設けることによって、上記のように種々の基準単価の設定が可能となる。
【００３７】
なお、上記処理における単価の変更は、１単価当たりのロータリバルブの運転時間の増減による単位処理量の変更によっても同様の取扱ができることが明らかであることからその説明を省略する。また、無洗米加工、籾摺機能を有するコイン式精米機にも同様に適用することができることが明らかであることからその説明を省略する。
【図面の簡単な説明】
【図１】本発明の籾殻処理装置を備えるコイン式籾摺精米装置のシステム構成図
【図２】図１のコイン式籾摺精米装置の１例に係る機器配置図
【図３】図１のコイン式籾摺精米装置の別例に係る機器配置図
【図４】圧縮螺旋式粉砕機付き（ａ）、および、ロール式粉砕機付き（ｂ）の籾殻タンクの要部断面図
【図５】押出成型機の断面図（ａ）とその口金の各種の形状例（ｂ）
【図６】棒状有機肥料の例（ａ）とその適用例（ｂ）（ｃ）
【図７】苗移植用補助材としての適用例（ａ）とその取扱い態様（ｂ）
【図８】ハイドロボールの使用例（ａ）（ｂ）
【図９】コイン式精米機のシステム構成図
【図１０】コイン式精米機の操作パネルのスイッチ配置正面図
【図１１】課金処理に係る機器制御システムの入出力構成図
【図１２】糠還元用単価設定とコース別単価設定の処理手順図
【図１３】従量単価設定の処理手順図
【符号の説明】
１  コイン式籾摺精米装置
１ａ  客室
１ｂ  機械室
３  投入部
５  籾摺部（籾摺手段）
７  精米部（精米手段）
９  払出部
１１ａ  タンク
１１  粉砕機付き籾殻タンク（粉砕手段）
１２  貯留容器
１３ａ  切換バルブ
１３  糠タンク
１５  混合機
１７  成型機
１９  焼成機
２１  包装機
３１  サイクロン式分離器
３３  圧縮螺旋式粉砕機（粉砕手段）
３３ａ  圧縮螺旋
３５  ロール式粉砕機（粉砕手段）
３５ａ  破砕ロール
４１  有機肥料
４３  苗移植用補助材
４５  ハイドロボール
５１  コイン式精米機
５３ａ  ロータリバルブ
５３ｂ  ロータリバルブセンサ
５９  精米機
５９ｃ  糠ファン
６１  糠切換器
６２  客室糠取出口
７１  操作パネル
７３  白度選択ボタン
７４  糠取出ボタン
７５ａ  コインセンサ
８１  制御部
Ａ  糠袋
【図１】
2004249150.tif 000003
【図２】
2004249150.tif 000004
【図３】
2004249150.tif 000005
【図４】
2004249150.tif 000006
【図５】
2004249150.tif 000007
【図６】
2004249150.tif 000008
【図７】
2004249150.tif 000009
【図８】
2004249150.tif 000010
【図９】
2004249150.tif 000011
【図１０】
2004249150.tif 000012
【図１１】
2004249150.tif 000013
【図１２】
2004249150.tif 000014
【図１３】
2004249150.tif 000015